(57)【要約】      （修正有）【課題】操作がし易く、極めて静かで、効率の良い缶の係合及び開口機構を備えた缶切りを提供する。【解決手段】この機構は、その缶切りサイクルの反対端部にある終点を操作する一対の欠損歯、それと共に、ジャミングが無く誰でも扱える機構を生成する機構を促す、偏心性に操作する遊び歯車とカッターギアを提供する。ジャミングが無く誰でも扱える機構は、閉鎖位置と操作位置に対して前方に促され、又は非係合及び非操作位置へと逆転されることがある。【選択図】図４
0003169281.tif 000002
【実用新案登録請求の範囲】
【請求項１】
ハウジング部と、カッター動作ギアと、遊び歯車と、下方駆動ギアを備える缶切り機構であって、
前記ハウジング部は、内部穴と外径を有するカッター動作ギアボスを備え、
前記カッター動作ギアは、円筒状部材と、短くされた弧の一連の放射状ギア歯と、下方に伸びる突出部と、を備えており、
前記円筒状部は、前記カッター動作ギアボスの中に支持され、
前記短くされた弧の一連の放射状ギア歯は、前記短くされた弧の一連の放射状ギア歯の各々の端部にある一対の欠損歯部にて終わり、
前記下方に伸びる突出部は、前記短くされた弧の一連の放射状ギア歯に対する前記カッター動作ギアの反対側にある前記一対の欠損歯部の間にあり、
前記下方に伸びる突出部は、干渉隆起が放射状に内部に突出する内部側面を有しており、
前記遊び歯車は、歯の付いた上部と、円筒状の下部と、前記カッター動作ギアボスの外部円柱面よりもかなり大きな内壁面を備え、
前記下方駆動ギアは、前記遊び歯車の前記歯の付いた上部に同時に係合し、少なくとも一つは前記欠損歯部に対抗し、前記カッター動作ギアの前記一連のギア歯に係合する歯部を有し、
前記下方駆動ギアは、前記遊び歯車が横方向に動くことを可能にする方法で、前記歯車の前記歯の付いた上部に圧力をかけて係合するよう作用し、
前記方法は、前記カッター動作ギアと前記下方駆動ギアの間の距離を考慮したものであり、それにより、回転力が前記遊び歯車から前記カッター動作ギアへと伝わるようにし、前記カッター動作ギアが前記カッター動作ギアの前記一連のギア歯を前記下方駆動ギアの歯部に係合させる、前記干渉隆起を係合させること、を特徴とする缶切り機構。
【請求項２】
駆動軸と、旋回自在のハンドルを更に備え、
前記駆動軸は下方駆動ギアに係合し、
前記旋回自在のハンドルは、駆動軸に駆動可能に取り付けられ、開放位置と閉鎖位置の間で回転自在であり、
前記開放位置では、駆動軸が回転でき、
前記閉鎖位置では、駆動軸がハウジング部に対して収納されることができることを特徴とする、請求項１記載の缶切り機構を備える缶切り。
【請求項３】
駆動輪と、カッターを更に備え、
前記駆動輪は、切られる缶の上部の縁に係合するために駆動軸の端部にあり、
前記カッターは、前記カッター動作ギアに支持され、移動可能となり、
前記カッター動作ギアは、前記カッターを前記駆動輪の方へ、またそれから離れて動かすことを特徴とする、請求項２記載の缶切り機構を備える缶切り。
【請求項４】
前記駆動輪の直径が約１ｃｍである、請求項３の缶切り機構を備える缶切り。
【請求項５】
ハウジング部と、クランク部を更に備え、
前記ハウジング部は、前記缶切り機構を支持し、穴を通る外部を有し、
前記クランク部は、前記駆動軸に取り付けられ、該駆動軸に対し回転自在であり、前記駆動軸に対して旋回自在であり、その結果前記ハンドルの一部が、前記ハウジング部の穴を通る外部に収納可能に入ることができる事を特徴とする、請求項３記載の缶切り機構を備える缶切り。
【請求項６】
モータと、バッテリーと、開閉器、とを更に備え、
前記モータ部は、前記ハウジング内に含まれ、前記下方駆動ギアに機械的に操作可能に接続され、
前記バッテリー部は、前記ハウジング部内に含まれ、
前記スイッチ部は、前記下方駆動ギアの回転を操作するため、前記バッテリー部と前記モータ部の間に電気的に接続されることを特徴とする、請求項１記載の缶切り機構を備える缶切り。
【請求項７】
ハウジング部と、缶切り機構と、クランク部を備えた缶切りであって、
前記ハウジング部は、穴を通る外部を有し、
前記缶切り機構は、前記ハウジング部に支持され、
前記クランク部は、前記缶切り機構に付けられ、前記缶切りを操作するのに回転自在であり、その結果前記ハンドルの一部が前記ハウジング部の穴を通る外部に貯蔵可能に入ることができること、を特徴とする缶切り。
【請求項８】
前記カッター動作ギアボスが、前記下方駆動ギアの方向に突起部分と、前記遊び歯車の前記内壁面上に軸受部を有すること、を特徴とする請求項１記載の缶切り機構。
【請求項９】
前記突起部分が楕円型構造である、請求項８記載の缶切り機構。
【請求項１０】
前記突起部分が助材であることを特徴とする、請求項８記載の缶切り機構。
【考案の詳細な説明】
【技術分野】
【０００１】
本考案は、手動又は自動駆動機構で提供されることもある、静かな逆転機構を用いる缶切りの使用のための機構に関する。
【背景技術】
【０００２】
１９８２年１２月２８日、ローゼンダールに発行された米国特許第４，３６５，４１７号、名称「ＴＩＮ  ＯＰＥＮＥＲ」は、カッターギアの動きの一方の端部に、欠損歯構造を用いる缶切りを記載している。カッターの開口位置は、カッター動作ギアの多くの歯の端部にある。本質的に、ユーザはチョウの形をした作動装置を最初に回し、停止位置に置いて、カッター刃を缶本体へと動かして本体に係合させる、係合部分の方向に置く。駆動輪により促されるカッターと缶が最も近接している位置において、駆動ギアはカッターギアの「欠損歯」部分にぶつかり、その結果駆動ギアは駆動輪を回し続けることができ、カッターギアの有するものがカッターと缶が最も近接している位置で止まることにより、カッターギアが妨げられることはない。カッター係合ギアは逆転され得る、駆動輪から離れてカッター輪を動かす。この逆転を補助する構造は、カバーの方へ外側に広がり、円形の隆起と近接した隆起の中に位置するゴム製のシリンダーと連携するよう配設される突出部の使用であり、回転運動を二つの部分装置へと伝えることが意図される。本質的に、陥凹面（欠損歯）が中心的に反対側のピニオンにあると、回転動作機構は、歯（欠損歯部分に近接する）の列にある歯を再び係合させ、駆動輪から離れてカッターを動かすというように、歯部分の装置（カッターギア）を回転させる傾向がある。
【０００３】
駆動ギアが別のギアの「欠損歯」部の反対側の位置から、ギアを再び係合させる構造は多くある。そのほとんどが、駆動ギアの逆の動きを検出することにより、被動歯車に対する駆動ギアを再開させるというより複雑な方法を含む。いくつかの設計において、「打ち抜きギア」のスターターは、連続して駆動ギアへの逆転の開始ギアを提示するために使用される。被動歯車に対する遊び歯車の摩擦は、一方向へ進む駆動ギアを被動歯車の「欠損歯」部分から離すために、時として頼られることがある。しかしながら、これら両方の方法は大きな欠点がある。まず、任意の「打ち出し」機構は、継続的な磨耗と、耳障りな音を通じて作動する。第二に、極めて円滑な環境におけるギア間の摩擦の使用は、逆転する駆動ギアの能力に長期的な変化をもたらすことがある。缶切りが缶又は蓋から離脱可能になれば、缶切りは不要になり、または、缶の蓋又は缶を機構から取り除く、重要な修復作業が必要となる。
【０００４】
率直にローゼンダール装置の場合において、多くの人々による最も安全で最も確実な方法で利用可能な缶切りを作る点において、この装置が有する様々な欠点がある。ローゼンダール装置はチョウ型駆動ハンドルを備え、このハンドルは、回転中心から各々約１〜２インチである、一対の反対に方向付けられた機能拡張部である。ローゼンダール装置の操作は、かなりの器用さ、親指ともう一本の指の強度、そして腕の柔軟性を要求する。更に、チョウ型作動装置の使用は、停止により遮られる一連の部分回転、そこから更なる部分回転を含む。高度な器用さと強度が要求される。更にこの操作方法の所望されない副産物は、片方の手で缶切りを掴み、もう一方の手で缶切りを定期的に操作する必要性である一方で、缶を空ける間に中の食物を安定させるため、両手で缶に下向きの圧力をいくらか加える必要がある。こぼすのを防ぐため、ユーザは缶切りと缶を平面に適応させ、安定する基準点としてテーブルを使用する必要性の代わりに、ユーザの快適性を犠牲にする困った状況において缶切りを操作する。運動は面倒を生じる不安定な動作運動があまりに多すぎるため、ユーザは、缶きり全体を支える手で開けられる缶を支えることは通常考えない。これは、缶を開けるのに必要な手動の力が大きく、またこの力が定期的に生じるためである。
【０００５】
ローゼンダール装置は一般的に、金属構造で作られねばならない。カッター輪の動作ギアに取り付けられた歯車の一つの端部は、遮断歯で構成されている。一旦ユーザが歯部装置（カッター輪動作ギア上に取り付けられた歯車）の非動作の端部に手を伸ばすと、ピニオン駆動ギアを用いて更にそれを回転することは出来ない。金属構造のみが、反対方向にピニオンギアを動かし続けようと「試みる」ユーザに対抗する保持力を有するだろう。本質的に、ローゼンダール装置のより強固な故障モードの一つは、その操作範囲の正常に機能しない端部にて生じる。良好な缶切りにおいて、最大限の力は、缶又は缶の開口に挟み込みを形成する働きに加えるべきであり、開口サイクルの非操作端点に強度を与えることにおいてではない。
【０００６】
ローゼンダール装置が不十分である別の重要な側面は、一般的に缶を開ける人の方にかかる著しい力のための要求である。ローゼンダール装置は金属で作られ、非操作位置の方向に装置を回すことによる損傷を受けないような強度を有することが要求される、という事実がある。挟み込みを作り、缶を開けるのに十分な力のみを要求することは、ローゼンダールに、力に限界がある人や彼らが操作出来た缶切りを利用する必要性を考えさせてもよい。ローゼンダール機構が最大限に利用されれば、その後、設計の電動バージョンが実質的に可能となったかもしれない。しかしながら、単一の、目に見えないむき出しになった開口のサイクルは、ローゼンダールに、任意の電動力が非操作位置への回帰を負荷しないことを保障する、より複雑な停止センサーを含ませることになった。この種の端点の任意の動力化は、操作構造に対し動力化機構を取り付け、その両方を破壊することが出来る。言い換えれば、重い電動ハウジングへの、ローゼンダール機構の単純な供給は、センサー、即ち正確にサイクルを制御する電子回路にかなりのコストをかけ、又は動力化歯車装置及び操作可能な歯車装置を、互いに壊れるように合わすことにより終わるだろう。
【０００７】
それゆえ必要とされるものは、挟み込みを形成し、その後缶が開くまで持続的な操作をするために、カッター輪の機械的に利点のある係合を缶に対し提供できる機構である。この種の必要とされる缶切りは、形式的で役に立つものとして、購入し易くするために安価な値段で大量に利用可能にするため、安価な構造に従うべきである一方、高品質機構を長く保つべきでもある。機構はいかなる認識可能な雑音を立ててはならず、ギア機構内の潤滑量に関わらず継続的に操作すべきである。最も重要なことに、必要とされる缶切り機構は、手動缶切りの場合に手動操作の容易さを提供することにより設置される缶切りの使用、そして必要とされる缶切り機構が自動の場合は低エネルギー消費／長い電池供給を促進すべきである。
【考案の概要】
【０００８】
機構は、缶切りの使用のために提供され、一対の欠損歯を提供する。この欠損歯は、操作がし易く、極端に静かで、効率的な缶の係合部を備える開口機構を生成する機構を促す、遊び歯車及びカッターギアの偏心性な操作を伴い、その缶切りサイクルの反対端部での終点を操作する。缶切りは、第一方向に主駆動を回転させることで閉鎖操作位置に対して作動し、そして第一方向に対向する第二方向に主駆動を回転させることで単純な反転が生じることにより、開放非係合位置に対して作動する。これは、多くの缶切りに見られるジャミング又は「ハードストップ（hard stop）」を除去する一方で、ロッキングレバー、又は他の保持或いは剥離機構の必要性を同時に除去する。
【０００９】
これら利点と他の利点は、少数の単純な部品を用いて達成され、この部品は、遊び歯車と、カッター動作ギアを含むものである。遊び歯車は、それが操作をする偏心ボスに対して特大の内径を有しており、カッター動作ギアを含むものは、その方向における変化の上の偏心ボスに対し遊び歯車がその位置を動かす際に、遊び歯車を係合させるための隆起に係合する歯部を供えた作動装置カバーを有する。
【００１０】
連結駆動の、即ち軸駆動であり、ギア駆動である輪は、カッター動作ギアと遊び歯車に近接して作動する。駆動軸の駆動ギアは、カッター動作ギアに対する作動の３つの安定したモードを有し、このモードは、非係合非作動位置と、係合作動位置と、非係合缶切断操作位置とを含む。非係合非作動位置は、駆動軸がカッター輪に係合しない方向に回転される場合のものである。係合作動位置は、駆動軸がカッター輪に係合する方向に回転される場合のものである。非係合缶切断操作位置は、駆動軸がカッター輪動作ギアに係合する方向に、且つ係合を越えた方向に回転され、カッター輪動作ギアと係合しないが、駆動軸が開口される缶を回転させ、切ることに従事する場合のものである。
【００１１】
２端の、ジャミング又は停止のない機構は、手動と電気で動く缶切りの両方の、より大きな自由と利点を与える。電気的に、及び手動で動く缶切りの両方は、非二重端の自由の利く作動の停止力に対向するために必要とされる、安価な部品により恩恵を受ける。手動缶切りに関して、より円滑な作動が、手動での開口をより容易にし、ユーザが片方の手で、好ましくは平面で缶を十分に固定して安定することを可能にし、拡張したクランク部を回すためもう片方の手を簡単に使うことが出来るようにする。クランク部を回す、より少ない力の使用は、ユーザがより安定した缶の位置で、表面で回すことを可能にする。ほんの数回回転させてクランクを逆転することで、ユーザに対し、こぼすような非係合を生じるものではない非係合が生じる。枢動クランクハンドル部は、ハウジング部に対し収納されることができ、従って最小限のスペースを取り、ほとんどの場合チョウ型缶切りよりもスペースが少ない。さらに、チョウ型缶切りに見られる鋭い潜在的に挟み込む金属構造関係は、除去される。
【図面の簡単な説明】
【００１２】
本考案の実施形態は、以下の添付の図面を参照して記述される：
【００１３】
【図１】熟知と位置確認のため示される、本考案の一つの実施形態の浮遊状態の斜視図である。
【図２】図１におけるような、及び缶に接近した状態で示される、本考案の一つの実施形態の浮遊状態の斜視図である。
【図３】図１と２におけるような、及び缶の切断開始点で接近した係合を示す、本考案の一つの実施形態の浮遊状態の斜視図である。
【図４】図１乃至３に見られ、それらの構成を更に詳しく図示する、缶切り機構の構成の分解図である。
【図５】図１乃至４において、及び動作の全周期の説明における部品の動作の説明の開始として、カッター動作ギアの頂部の位置で見られる、回転式缶切り機構を見下ろす概略図である。
【図６】図１乃至４において、及び遊び歯車の歯のある上部の位置で見られ、並びに図５の図に対応する相互作用と、遊び歯車の歯のある上部を備えた下方に伸びる突出部の干渉隆起の非相互作用を示す、回転式缶切り機構を見下ろす概略図である。
【図７】図１乃至４において、及び遊び歯車の歯のある上部の位置で見られ、並びに図５の図に対応する相互作用を示すが、この相互作用は下方駆動ギアの方向に変化が生じた後に示され、遊び歯車の歯のある上部を備えた下方に伸びる突出部の干渉隆起の接触した相互作用を図示する、回転式缶切り機構を見下ろす概略図である。
【図８】図１乃至４において、及びカッター動作ギアの頂部の位置で見られ、下方の駆動ギアがカッター動作ギアのギア歯と係合し、カッター動作ギアが適切な位置での変化を通じる途中である回転式缶切り機構を見下ろす概略図である。
【図９】図１乃至４において、及びカッター動作ギアの頂部の位置で見られ、下方駆動ギアがカッター動作ギアの他の欠損歯部に対向し、下方の駆動ギアが回り続ける回転式缶切り機構を見下ろす概略図である。
【図１０】図１乃至４において、及び遊び歯車の歯のある上部の位置で見られ、並びに図９の図に対応する相互作用を示し、遊び歯車の歯のある上部を備えた下方に伸びる突出部の干渉隆起の非干渉及び非接触相互作用を図示する、回転式缶切り機構を見下ろす概略図である。
【図１１】図１乃至４において、及び遊び歯車の歯のある上部の位置で見られ、並びに図９の図に対応する相互作用を示すが、この相互作用は下方駆動ギアの方向に変化が生じた後に示され、カッター動作ギアがその方向に逆転し始めることを可能にする、遊び歯車の歯のある上部を備えた下方に伸びる突出部の干渉隆起の再接触相互作用を図示する、回転式缶切り機構を見下ろす概略図である。
【図１２】図１乃至１１に見られる回転式缶切り機構を利用する、手動回転式缶切りの一つの実現を図示する分解図である。
【図１３】図１２の分解図と同様であり、図１２におけるような位置づけの、缶切りの部品を組み立てた状態で見られる斜視図である。
【図１４】上部ハンドルの平らになったボール部が穴を介して突出し、その結果クランク組立部がロックダウン位置にあることを示す、缶切りの斜視図である。
【図１５】図１４に見られ、斜め下の位置から示される缶切りの斜視図である。
【図１６】電気駆動缶切りの斜視断面図である。
【図１７】図１６に示される缶切りでの使用に適したものと考えられる電気回路の可能な実現である。
【考案を実施するための形態】
【００１４】
図１に関して、回転式缶切り機構３１と示される、本明細書における本考案の機構の空間的な斜視図は、周りを囲むハウジング部全体を備えていない動作組立部である。組立部の頂部においてまず、駆動軸３３は、係合開口部３５を有する。駆動軸３３は、強度のために、好ましくは金属で作られてもよい。駆動軸３３は、上方係合ギア４１と下方駆動ギア４３を有する、軸の駆動ギアセット３７を通って伸びることが示される。
【００１５】
好ましくは支持ハウジング部に不可欠の多くの構造は、支持ハウジング部の余剰部から離れた位置に図示される。ハウジング部５１は、図１の上部左側に見られる接続された部品全てを支持する、下方ハウジング部（図示せず）の基部となる床を表す。ハウジング部５１の右側にて、駆動ギアボス５５は、駆動ギア４３を適切な高さで回転自在に支持するために示される。
【００１６】
図１の左側面と、ハウジング部５１の真上に、歯のある上部６１とシリンダー状の下部６３を有する、遊び歯車５７がある。シリンダー状の下部６３は、軸上に大きな下向きの力がないハウジング部５１の上部表面に円滑に乗る、平面端部（図１には見られない）を有する。図１には示されないが、遊び歯車５７は、偏心的で、また駆動ギア４３に最も近接した位置から離れた場所に位置するボスの部分に対して効果的な縮小した直径を有するボス（これも図示せず）の上に軽く乗る比較的大きな直径内周面を有する。これは、遊び歯車５７が方向を変える度に、偏心ボス（図示せず）の中心を通って伸びる方向に対して、遊び歯車５７が僅かに動くことを可能にする。駆動ギア４３が操作されると、歯部を駆動ギア４３の歯に送り込む遊び歯車５７の側面は、よりしっかりとボスの側面に沿って進む傾向がある一方、駆動ギア４３から送り込まれた歯はボス（図示せず）の側面により大きな隙間を作る傾向がある。その結果、遊び歯車５７は、駆動ギアにより駆動する方向に依存するその位置を僅かに動かす。示されるように、この僅かな移動は、回転式缶切り機構をより滑らかに操作することができるようにする、一つの設計要素である。
【００１７】
遊び歯車５７の上の歯のある上部６１の上に、カッター動作ギア６５がある。カッターギアは、一連のギア歯６９を有する歯部を有する。一連のギア歯６９の片側に、下方駆動ギア４３がカッター動作ギアの更なる動作なしに自由に回転することを可能にするために与えられる、凹面と欠損歯部７１がある。欠損歯部７１の左側には、遊び歯車５７の歯のある上部６１に対向する内部側面７７を有する、下方に伸びる突出部７５が見られる。遊び歯車５７がまだ示されないボスに対する動きをいくらか有するため、遊び歯車５７の歯のある上部６１が、いくらか制限された状況において、カッター動作ギア６５の下方に伸びる突出部７５の内部側面７７により接近して動き、且つより離れて動くことは可能である。遊び歯車５７は水平な運動をいくらか有するが、カッター動作ギア６５は、遊び歯車５７が前述の水平な遊びによって動く、同じ偏心ボス（図示せず）内で、均一に回転する。枢軸７９は、カッター動作ギア６５が更に安定して由来し、ピボット軸７９に係合するハウジング部（図示せず）の上部から支持を得る、カッター動作ギア６５から突出しているものとして示される。
【００１８】
ハウジング部５１の真下には、遊び歯車５７の下部の位置から、下方駆動ギア４３の下の位置にまでわたって伸びる摩擦板８１がある。摩擦板８１は、好ましくは薄い金属又は摩擦に高い抵抗力がある物質で作られ、缶８５の上部縁８３の上面から接触するように動き、そしてそれは側壁８７上にある。摩擦板８１の右側、及び真下は駆動輪９１である。駆動輪９１は好ましくは金属であり、駆動軸３３に金属的に固定され、約１ｃｍの直径と、好ましくは約１８個であることがある、多くの保持歯を有していなければならない。一つの実施形態において、駆動軸は駆動輪９１に押し込まれ、その結果駆動軸３３の少量が、駆動軸３３が取り付けられる駆動輪９１の中心にある。他の取り付け方法は、駆動軸３３と駆動輪９１を溶着するか、又はそれらの等しい一体形成物によるものであることもある。
【００１９】
駆動輪９１及び駆動軸３３は単一の関係を有するため、駆動軸３３及び駆動輪９１が上部係合ギア４１の底部を通って、及びその外から垂直に滑ることができ、下方駆動輪４３は係合開口部３５に関連したいくつかの構造によって上方に固定されなかったことを注意せねばならない。ハウジング部５１の真下の領域の、他の側面にて、直接駆動輪９１に対向するものはカッター座金９３である。カッター座金９３は、駆動輪９１に対する缶８５の上部の縁８３を押し、その結果駆動輪９１は、缶を切る間又は缶の開口作業の間、缶８５の上部の縁８３の内部周辺に向けられた表面に係合することができる。カッター座金９３は一般的に、好ましくは自由に回転自在であり、駆動輪９１に対向する摩擦がない軸受表面を近くに提供することにより、缶８５の上部縁８３の回転を促進し、その結果カッター座金９３は、缶８５の上部縁８３が駆動輪９１により駆動されるように回転できるようにする。
【００２０】
カッター座金９３の下はカッター９５であり、カッター９５は、切断工程中に回転して缶８５の側壁を切る、円形の鋭い傾斜の着いた回転自在の金属ディスクである。角座金９７はカッター９５の下にあり、角座金９７がカッター９５で回転しないと規定するために、カッター座金９３内に、及びその座金以下にそれが正方形部材（示されない）に対して抵抗する正方形開口９９を有するため、そのように名付けられる。角座金９７は、カッターネジ１０１によって固定される。カッター座金９３の非回転性は、カッターネジ１０１に、回転式缶切り機構３１の他の部品からカッターネジを、それ以外に分離させることもある回転力を与えないことにより、カッターネジ１０１の安定を補助する。
【００２１】
典型的な駆動輪９１は、約２５本の保持歯を備え、直径約１.６ｃｍであることが知られている。小さなサイズの駆動輪９１には２つの重要な効果がある。まず、あまり回転しないモーメントが缶を進めることを可能にする。次に、駆動輪９１及び下方駆動ギア４３等の、その関連するギアが、また更に接近し、より小さくなり、及びカッター動作ギア６５に付与された力に対して、そして中間ギアリングを必要とすることなく、より大きな機械的利点を得ることを可能にする。カッター座金９３の直径は約１.７ｃｍであり、カッター９５の直径は、約２.３ｃｍであり、この両サイズは、より大きな１.６ｃｍの駆動輪に通常関連した大きさである。カッター座金９３に対する駆動輪９１の直径の比率は、そのとき約１：１.７又は約０.５８である。カッター９５に対する駆動輪９１の直径の比率は、そのとき約１：２.３又は約０.４３４である。
【００２２】
したがって、駆動輪９１の使用は、駆動輪９１が取り付けられる同じ軸体３３に直接関係するギア、即ち下方駆動ギア４３が、カッター動作ギア６５の回転を引き起こすこと、同様に切られる缶の上部縁８３を動かすのに都合の良い機械的利点を提供することを可能にすることにより、より大きな機械的利点を有効にする。さらに、開口位置では、駆動輪９１とカッター座金９３の間の間隔は、約０.７ｃｍである一方で、駆動輪と、縁を切るカッター９５の間の対角線上の隙間は、約０.３ｃｍである。閉鎖位置では、駆動輪９１とカッター座金９３の間の間隔は、約０.１ｃｍである。結果として、駆動輪９１の軸上の中心は、カッター９５及びカッター座金９３の軸上の中心からわずか約１.４５ｃｍである。このより接近している軸の関係は、より小さいか、又はより多くの力を得るためにより大きな圧力に耐える必要がないという構成により、そのような力を有効にする。カッター座金９３及びカッター９５は、単に０.６ｃｍ移動するだけでよく、それは駆動輪９１の直径の距離の６０％である。
【００２３】
回転式缶切り機構３１の動作への部分的な導入は、最初に示されるが、後の図２と３でも繰り返される。図２を参照すると、及び示された図に関して、一連の歯の付いたカッター動作ギア６５のギア歯６９は、カッター座金９３、カッター９５、角座金９７及びカッターネジ１０１を含む、目視確認できるカッター組立部の構成が、目視確認できるカッター組立部と駆動輪９１の間に位置づけられる缶８５の上部の縁８３に十分な、駆動輪９１から離れた位置に位置づけられる時に見られる。駆動軸３３が時計回りに回転し、係合開口部３５に近接した駆動軸３３の端部の中を見ると、カッター動作ギア６５の一連のギア歯６９は、カッター動作ギア６５の上から見るとカッター動作ギア６５が反時計回りに回転し始めるとともに、左から右に動き始める。これは、缶８５の壁８７に面して回転自在に動かされる、カッター座金９３、カッター９５、角座金９７及びカッターネジ１０１を含む、偏心的に取り付けられた視覚的に観察できるカッター組立部の構成を回転させる。
【００２４】
図３を参照すると、側面図は、缶８５の壁８７の方へ回転自在に動かされる、目視確認できるカッター組立部構成の、完全に係合した結果である、缶８５の壁８７へのカッター輪９５の係合を図示する。下方へ伸びる突出部７５の十分な範囲が見られ、遊び歯車５７の歯のある上部６１の視点を完全に見えなくする、図３の視界の角度からであることに注意する。下方へ伸びる突出部７５の中心の右に、干渉隆起１０３が点線形式で図示される。より完全に確認できるように、干渉隆起１０３は、遊び歯車５７の歯のある上部６１の２つの隣接した歯部の間の空間にいくつか係合を提供することができる、内部に突き出る突起部であるが、遊び歯車５７が下方へ伸びる突出部７５に対して横方向に動かされた場合のみである。下方に伸びる突出部７５は、同軸に回転可能なカッター動作ギア６５の一部であるということ、カッター動作ギア６５は横方向に動かないことが理解できる。図３で示された他の新しい細部は、カッター動作ギア６５が含まれ、かつ回転式缶切り機構３１が収容されるハウジング部の内部の上壁に対し最小限の摩擦で作動することを補助できる、上部の扁平な縁１０５を含む。
【００２５】
図４を参照すると、回転式缶切り機構３１の構成の分解組立図は、図１乃至３の側面図で見られた構成の更なる細部を明らかにする。図４の頂部に、カッター動作ギア６５は、示されるように、カッター動作ギア６５が正確に回転する中央の円筒状部材１１１を有する。中央の円筒状部材１１１の真下には、円筒状部材１１１に対して偏心的に取り付けられたカッター支持部材１１３がある。偏心的に取り付けられたカッター支持部材１１３は、カッター動作ギア６５の回転上の駆動輪９１により近接して、又はそこから更に離れて取り付けられた、その上のカッター９５を動かすために使用される。偏心的に取り付けられたカッター支持部材１１３の底端部には、任意の回転をカッターネジ１０１から分離し、かつカッターネジ１０１を安定させる、角座金９７との係合用の長方形の突出部材１１５がある。カッターネジ１０１は、偏心的に取り付けられたカッター支持部材１１３の中心を通る穴（図４に図示せず）に係合する。
【００２６】
軸の駆動ギアセット３７は、下側円筒状部材１２１と上部スロット穴１２３をさらに有する。下側円筒状部材１２１は、相互適合するための、且つ駆動ギアボス５５内で、及びそのボスから安定した回転支援を得るためのものであり、上部スロット穴１２３は、駆動軸３３をスライド自在に受け取るためのものである。遊び歯車５７は内壁面１２５を有する。より高い好ましい地点から見ると、遊び歯車５７の下に、ハウジング部５１、前述の駆動ギアボス５５が図示され、及び初めて見られたものは、カッター動作ギアボス１３１と、その内壁面１３３である。カッター動作ギアボス１３１は、外側に突出する助材１３７によって途切れる、外部の円柱面１３５を有する。
【００２７】
助材１３７は、駆動ギアボス５５、即ち上部係合部ギア４１と下方駆動ギア４３を有する下方駆動ギア４３に対し、遊び歯車５７の接近する力をかけるよう作用するが、場合によっては下位を越える。楕円の外側表面（図４に図示せず）を有することによるといった、代替の機構が図示される。他には、遊び歯車５７と駆動ギアボス５５の間の領域から離れて伸びるライン側面上の、小型化した大きさの外部円柱面１３５に組み合わされた駆動ギアボス５５の方向に厚くなった部分（楕円形である必要はない）を含むことが考えられる。また他の場合において、駆動ギアボス５５に対する、遊び歯車５７の大きさは、記述される遊び歯車５７の横方向に摺動する、一種の動作を作り出すのに十分である。しかしながら、外側に突き出る助材１３７の使用は、遊び歯車５７の使用の様々な側面を強調する。まず、遊び歯車５７は、僅かに外側に突き出る助材１３７により促された、軸の長さ及び狭い円弧の幅の部分上にのみ、軸受荷重を置く役目を行う歯部を有する。次に、遊び歯車５７の歯のある上部６１の歯の形及び深さは、遊び歯車５７が下方駆動ギア４３の歯と係合されると共に、他の要因の遊びにより、遊び歯車５７の歯のある上部６１の噛合部の、最も接近している点に関する側面の角度の枢軸変異（the lateral angular pivot displacement）を決定できる。
【００２８】
外部円柱面１３５が一定の円筒状の直径を有するため、外側に突き出る助材１３７のような突出部は、カッター動作ギアボス１３１がさらに大きな有効径を有する、即ち、外側に突き出る助材１３７と、外側に突き出る助材１３７に対向する外部の円柱面１３５の側面の間の距離を有するようにするようになっている。しかしながら、遊び歯車５７の内壁面１２５は、さらに大きな有効径よりさらに大きな内径を有し、この内径が下方駆動ギア４３の歯に対して遊び歯車５７の歯のある上部６１の噛合部の最も接近している点に対する角度の枢軸変異（angular pivot displacement）を有効にする、十分な遊びを有することを可能にする。
【００２９】
ハウジング部５１の下に、摩擦板８１は、一対の開口部を有することが確認される。一対の開口部は、中心の円筒状部材１１１を摩擦板８１に通し、それを通って伸びる中心の円筒状部材１１１の非常に短縮された部分に、拡張領域摩擦と安定性を提供する、中心の円筒状部材と摩擦開口部１４１を含む。同じ方法で、摩擦板８１は、下方円筒状部材１２１を摩擦板８１に通し、それを通って伸びる中心の円筒状部材１２１の非常に短縮された部分に、拡張領域摩擦と安定性を提供する、下方筒状部材と摩擦開口部１４５を有する。
【００３０】
中央の円筒状部材と摩擦開口部１４１の下に、チャネル１５１によって分けられた強固な外壁１４７と、強固な内壁１４９、及び偏心的に取り付けられたカッター支持部材１１３の外径に合致する内部穴１５３を有する、カッター座金９３が位置する。カッター座金９３は、回転自在であるが、カッター９５で見られた方形開口１５９と合致する、下方方形突起１５７を含む。カッター９５がカッター座金９３と共に回転するよう嵌められる場合、カッター座金９３もカッター９５も、詰まらずに不規則に摩擦しないという確信がいくつかある。
【００３１】
カッター９５の下で、角座金９７は、偏心的に取り付けられたカッター支持部材１１３の方形に突出した部材１１５に係合する大きさの、中心の方形開口を有する。方形に突出した部材１１５は、カッター９５の任意の外部の回転運動がカッターネジ１０１に触れるのを防ぐために、角座金９７の回転を防ぐ。したがって、カッターネジ１０１、カッターネジ１０１を固定する偏心的に取り付けられたカッター支持部材１１３内の物質、及びカッターネジ１０１の頭部１６３の底面１６１がある角座金９７は、カッター座金９３とカッター９５の自然な回転からの摩擦の除去を受けない。
【００３２】
回転式缶切り機構３１の操作は、カッター動作ギア６５、及びその下にある遊び歯車５７の両方に関与する。両方の視点を重ね合わせると、取り違えが生じるため、それらの関係を図示する一連の並列図において、最も良く説明されることが言える。さらに、カッター動作ギア６５の移動の終点の各々は、それに関連する２つの遊び歯車５７の位置を有することができる。その結果、カッター動作ギア６５と遊び歯車５７が、それらの正常な回転を担うことができる、数学的に５つの状態があり、それらの状態は、カッター動作ギア６５の移動の終点が達成されたかどうかに依存しない。図１乃至４の中で示されるように、カッター動作ギア６５は、内部側面７７を備えた下方へ伸びる突出部７５を有する。内部側面７７は、内部に配置された干渉隆起１０３を支持し、内部に向けられた歯部の一種であることがあり、及び遊び歯車５７の歯のある上部６１の歯部にいくつか僅かな係合を提供する大きさである。このような僅かな係合は、軸の駆動ギアセット３７が一定方向で回転する一方で、カッター動作ギア６５が移動のそのサイクルの２つの端部の１つにある場合にのみ、生じる。係合は終点の間にも生じることもあるが、歯部６９と４３も係合されるような作用はほとんどない。
【００３３】
図５を参照すると、図１と２で見られるような回転式缶切り機構３１を概略的に確認する図が示される。上部係合ギア４１は、図の明確化のために省略される。回転式缶切り機構３１は、開口位置の中にあり、開口用の缶８５を受ける状態にある。駆動軸３３上の下方駆動ギア４３は、カッター動作ギア６５の時計回りの移動を通じて、カッター動作ギア６５がちょうどその位置に着き、下方駆動ギア４３が少しの間動く間にそれが動きを止めるということを示すため、反時計回り方向の状態で示されている。したがってこの反時計回り方向は下方駆動ギア４３に対するものである。示された位置は、ユーザに駆動ギア４３を、缶８５を切る作動方向と反対の方向（開口位置の方へとしても知られる）に回転させることにより、図１と２で見られるような回転式缶切り機構３１の開口が必要とされるものから、おそらく少し向こう側に到達される。下方駆動ギア４３は、それがカッター動作ギア６５中で任意の更なる動作を引き起こさず、凹面又は欠損歯部７１に面する限り、この開口または解放方向に回り続けることができる。
【００３４】
図６を参照すると、下方駆動ギア４３とカッター動作ギア６５が図５に示された状態である時の、下方駆動ギア４３とカッター動作ギア６５の両方の概略図がある。下方駆動ギア４３に対する同じ反時計回り方向は、その動作状態が確認できる。隙間１７１は、カッター動作ギアボス１３１の外部円柱面１３５と、カッター動作ギアボス１３１の側面上の遊び歯車５７の内壁面１２５との間に存在することに注目する。内壁面１２５は、遊び歯車５７の歯のある上部６１の噛合連結部及び駆動軸３３の下方駆動ギア４３から、歯のある上部６１の歯部の歯の離れる部分の下流にある。外部の円柱面１３５が隙間１７１に対向する、カッター動作ギアボス１３１の側面上に、カッター動作ギアボス１３１の外部の円柱面１３５と、遊び歯車５７の内壁面１２５の間の接点１７３の又はほぼ接している部分の領域が見られる。カッター動作ギアボス１３１の側面上のこれは、遊び歯車５７の歯のある上部６１の噛合連結部及び駆動軸３３の下方駆動ギア４３から、歯のある上部６１の歯部の歯の離れる部分の上流にある。言い換えれば、「上流」側は、ボス１３１に近い遊び歯車５７を引き寄せ、「下流」側は、ボス１３１から遊び歯車５７を押しのける。
【００３５】
下方駆動ギア４３が動きを止める場合、隙間１７１と接点１７３の存在と位置づけは変わると考えられない。もちろん、回転式缶切り機構３１が万が一目標とする位置に到達し、その結果重力が遊び歯車５７の動きを促し、隙間１７１の大きさが小さくなり、接点１７３が無くなれば、この状態は装置の停止状態であり、遊び歯車５７の行動を説明するために本明細書に用いられる隙間１７１と接点１７３の位置に影響を及ぼさない。また、下方へ伸びる突出部７５が、接点１７３を有する遊び歯車５７の側面にあり、隙間１７１を有する側面に対向することにも注意する。したがって、下方駆動ギア４３が図６の図に対して反時計回りに回転し続ければ、遊び歯車５７は回転し続け、その結果その歯のある上部６１が干渉隆起１０３との接触を持たなくなる。実質で、回転式缶切り機構３１を開くために下方駆動ギア４３を回したユーザは、駆動軸３３が単に回り続け、図６に示されるような構成の位置づけが続く点に達する。これは、駆動軸３３の動きを停止し、かつ抵抗するためにギアを干渉又は妨害する、物理的な完全性に依存する缶切りシステムとは大いに異なる。本質的には、回転式缶切り機構３１は、示されるように、ユーザがそのサイクルのどちらかの端部にて、そのシステムを傷つける可能性を排除する。
【００３６】
図７は、下方駆動ギア４３がちょうど時計回り方向（図６で見られた反時計回りの動きの反対）に動き始める時点での、回転式缶切り機構３１の図である。僅か１つの歯だけが動かされた後、隙間１７１は、下方へ伸びる突出部７５の位置に対向するカッター動作ギアボス１３１の側面から無くなる。遊び歯車５７の歯のある上部６１と駆動軸３３の下方駆動ギア４３のギア噛合連結部へと送り込まれ始める、遊び歯車５７のこの側面であるため、接点１７３は、遊び歯車５７がカッター動作ギア６５の下方へ伸びる突出部７５の方へ動かすように、変わる。下方へ伸びる突出部７５への遊び歯車５７の移動は、遊び歯車５７の歯のある上部６１を干渉隆起１０３に係合させる。この係合は、特に干渉隆起１０３が特別深くはないため、非常に小さい。遊び歯車５７が行う唯一の僅かな役目は、カッター動作ギア６５を、カッター動作ギア６５により運ばれる一連のギア歯６９に係合し始める下方駆動ギア４３に十分な、下方駆動ギア４３の歯部の方へごく僅かに促すことである。遊び歯車５７中にすぐ見られる構造１３７の変化は、他の可能な変化を示す、楕円型構造１７７として見られる。
【００３７】
一旦カッター動作ギア６５によって運ばれた、最初の一連のギア歯６９が下方駆動ギア４３に係合すれば、下方駆動ギア４３は、カッター９５を駆動輪９１へと動かすために、カッター動作ギア６５を滑らかに、静かに回し始め続けることができる。図８を参照すると、図５で示された図に似ている図は、その総合的な移動の中途の位置に対する、カッター動作ギア６５の角変位を図示する。上部係合ギア４３は、図８に示される図が、開口（図１と２に示される）から閉鎖（図３に示される）まで、又は閉鎖から開口までの経路における中間点を表わすことができるとともに、二つの方向性を有することが示される。閉鎖と開口の間にある経路の中間部分中に、下方駆動ギア４３は、遊び歯車５７とカッター動作ギア６５のギア歯６９の両方に係合される。干渉隆起１０３は、歯のある上部６１の完全な円におけるギア歯の全体の数が、一連のギア歯６９に関して完全な円を形成する歯の数と同じであるという必須なものではないが、歯のある上部６１の歯部の中に受動的に任意に乗ることができる。しかしながら、干渉隆起１０３と、歯のある上部６１の歯部の間の、任意の相対運動が、受動的で、静かであるのと同じくらいゆっくりと生じる。
【００３８】
図９を参照すると、図５と８で示されるような、回転式缶切り機構３１を概略的に確認する図が示される。回転式缶切り機構３１は、カッター動作ギア６５を閉鎖位置にただ移動させて、既にカッター９５に缶壁８７の挟み込みを形成させ、更に、時計回り方向の上部係合ギアの回転は、駆動輪９１に、缶８５の切断工程を行なうため、缶の縁８３がそれとカッター座金９３の間に送り込まれるようする。図５の場合と同様、下方駆動ギア４３は、カッター動作ギア６５中の任意の動作を引き起こすことなく、それが凹面又は欠損歯に面する限り、回転し続けることができる。
【００３９】
切断作業が続くにつれ、図１０を参照すると、隙間１７１は、カッター動作ギアボス１３１の外部円柱面１３５と、カッター動作ギアボス１３１の側面上の遊び歯車５７の内壁面１２５との間に存在する。内壁面１２５は、遊び歯車５７の歯のある上部６１の噛合連結部と、駆動軸３３の下方駆動ギア４３から、歯のある上部６１の歯部の歯の離れる部分の下流にある。隙間１７１は、下方へ伸びる突出部７５が位置する側面に対向する、ギアボス１３１の側面上に生じることが確認され、したがって、干渉隆起１０３は接触されず、影響を受けない。隙間１７１に対向する、カッター動作ギアボス１３１の外部円柱面１３５の側面に、カッター動作ギアボス１３１の外部円柱面１３５と遊び歯車５７の内壁面１２５の間に、接点１７３の、又はほぼ接している部分の領域が確認される。カッター動作ギアボス１３１の側面にあるこれは、遊び歯車５７の歯のある上部６１の噛合連結部と、駆動軸３３の下方駆動ギア４３から、歯のある上部６１の歯の歯の離れる部分の上流にある。接点１７３は、下方へ伸びる突出部７５のように、ボス１３１と同じ側面上にある。図１０に示される位置づけは、缶８５の開口作業が継続する間、継続する。缶切断作業が完了した場合のように、下方駆動ギア４３が動きを止め、上部縁８３が缶壁８７から切り離されると、駆動軸３３と駆動ギア４３の回転の方向の反転は開口工程を始め、それにより駆動輪９１及びカッター座金９３のカッター９５が、缶８５の縁８３を切り離すため互いに離れて動く。カッター動作ギアボス１３１の形状の更なる変化は、除去エリア１８１により示されたカッター動作ギアボス１３１の側面にて、物質を随意除去することで、外側に突き出る助材１３７の排除に関わる。あらゆる他の許容範囲、構造、調節は、遊び歯車５７が自身を干渉隆起１０３へと動くことを可能にすることができ、柔軟性を含む。
【００４０】
図１１を参照すると、下方駆動ギア４３が反時計回りの方向で回転し始めるとき、そして恐らく、１つの歯部のみが動かされた後、隙間１７１は、下方へ伸びる突出部７５の位置に対向するカッター動作ギアボス１３１の側面から無くなる。遊び歯車５７の歯のある上部６１のギア噛合連結部と、駆動軸３３の下方駆動ギア４３へと送り込まれ始める、遊び歯車５７のこの側面にあるため、接点１７３は、遊び歯車５７が、カッター動作ギア６５の下方へ伸びる突出部７５の方へ動くように変わる。下方へ伸びる突出部７５への遊び歯車５７のこの動きは、遊び歯車５７の歯のある上部６１に干渉隆起１０３を係合させる。前述のように、係合は再び極めて小さい。再度、遊び歯車５７が行う唯一の僅かな役目は、カッター動作ギア６５によって運ばれた一連のギア歯６９に係合し始めるが、今は反対方向へ回転するカッター動作ギア６５に係合するために、下方駆動ギア４３に十分な、下方駆動ギア４３の歯部の方へカッター動作ギア６５を、ごく僅かに促すことである。
【００４１】
一旦、最初の一連のギア歯６９が、下方駆動ギア４３に再び係合するカッター動作ギア６５によって運ばれると、下方駆動ギア４３はカッター動作ギア６５を、滑らかに、静かに回し始め続けることができ、カッター９５を駆動輪９１から離れて動かし始める。これは、下方駆動ギア４３が、カッター動作ギア６５の一連のギア歯６９に対する中間点に位置するまで、継続する。下方駆動ギア４３の更なる動作は、サイクルを図５に関して説明された段階に到着させる。その後、下方駆動ギア４３は、図５と６で見られるような開口位置で回され続け、又はそれは、図７で与えられた記述の始めに述べられたように、サイクルを再び始めるため、反対に向けられることがある。
【００４２】
図１２を参照すると、図１乃至１１で見られた回転式缶切り機構３１を利用する、手動回転式缶切り２０１の、一つの具体例の分解図が示される。手動回転式缶切り２０１は、様々な目的を念頭において設計され、その目的は、（１）収納と配置の容易さ、（２）こぼれなどを減らすための開口作業中の安定性、及び（３）開口中の作業の容易さにより、身体能力に制限のある人でさえ、より容易に缶切り２０１が使用できること、を含む。分解図は、古く新しい構成部品の両方の識別を促進するだけではなく、回転式缶切り機構３１に大きな実用性を提供するために必要な部品の、単純性とモジュール性を強調する。
【００４３】
図１２を参照すると、新しい構成を、上部左側で始めに検討する。上部ハンドル長円体又は平らになったボール部２０５は、同様に形作られた下部ハンドル又は平らになったボール部２０７上に位置する。下部ハンドルボール部は、部材２１３をねじ付けされた下部ハンドルボール部で止まるその上端部にある開口部２１１を有する、回転棒２０９上に取り付ける。回転棒２０９の下端部は、クランク上部２１５に取り付けられている。クランク上部２１５は、クランク下部２１７への接続部分を有する。クランク下部は、各々が枢動開口部２２１を有する、一対の間隔が空いた枢動取り付け部２１９を含む。一対の間隔が空いた枢動取り付け部２１９の内部に、戻り止め係合面２２３がある。戻り止め面２２３Ａ、戻り止め係合面２２３は、上部ハウジング部２４１で位置合わせする収納位置と、使用（２３０Ｂと２２３Ｂが係合）時の第２の折り畳まれていない位置において、クランク上部２１５とクランク下部２１７のための、戻り止め静止空間を提供するように構成される。上部ハンドル部の平らになったボール部２０５、下部ハンドル部の平らになったボール部２０７、回転棒２０９、クランク上部２１５、クランク下部２１７、及び一対の間隔が空いた枢動取り付け部２１９は、クランク組立部２２４と表されることがある。
【００４４】
クランク下部２１７に近接するものは、缶切り２０１の操作のための回転クランク作用と、クランク下部２１７のための枢動作用を提供する、回転及び枢動取り付け部２２５である。枢動取り付け部２２５は、一対の間隔が空いた枢動取り付け部２１９を受けるための、中央の主要な幅広いスロット２２７を有する。ボールフィラー取り付け部２２９は、滑らかな外観を作り、機械的な構成に適合する軸を覆うため、一対の間隔が空いた枢動取り付け部２１９の間に、一対の中央の主要な幅広いスロット２２７を占有する。ボールフィラー取り付け部２２９は、接近した開口位置における場所にクランク組立部２２４の保持を補助するため、戻り止め部係合面２２３に係合する、一対の戻り止め部２３０を有し、同様に閉鎖した及び収容した位置に中央戻り止め部２３０Ｂを有する。クランク枢動ピン２３１は、マルチ穴２３３、同様に枢動取り付け部２２５に見られる側部ピン開口部２３５と平行な配列の位置にある。クランク枢動ピンは、一対の間隔が空いたピン開口部２３５、一対の間隔が空いた枢動取り付け部２１９の軸開口部２２１、マルチ穴２３３、及び駆動軸３３の上端部が係合開口部３５のボールフィラー取り付け部２２９に挿入された時の駆動軸３３の係合開口部３５を通る。また示されるものは、適合空間に適合し、及び缶切り２０１のより仕上がった外観を与えるため、一対の間隔が空いたピン開口部２３５の露出した端部を覆う、一対の表面処理キャップ２３７である。
【００４５】
ハンドル部２４３とギアハウジング部２４５を有する上部ハウジング部２４１は、ハンドル部２５３とギアハウジング部２５５を有する下部ハウジング部２５１の、分解された正合位置にある。上部ハウジング部２４１は、それを一致させ、連結し、下方ハウジング部２５１に固着されることを可能にする、多くの特徴と構造を有する。一連の連結する留め具が示され、それと共に３つのギアハウジング部留め具２６１がギアハウジング部２４５の上に示され、２つのハンドルハウジング部の留め具２６３はハンドルハウジング部２５３の下にある。１対の仕上げキャップ２６５は、留め具２６３が適合する皿頭の穴を、外見を美しくするために覆う、２つのハンドルハウジング部留め具２６３に関連すると見られる。
【００４６】
上部ハウジング部２４１は、上部係合ギア４１が回転と枢動取り付け部２２５により係合されるため突出する上部系合ギア開口部２７１を含む、多くの目に見える特徴を有する。一連のねじ穴部材に通された係合する開口部２７５が、上部係合ギア開口部２７１の周りに分配される。ハンドル部２４３と２５３は、上部ハンドル部の平らになったボール部２１１に対応するための、直通の穴２７７を有する。ハンドル部２４３と２５３はまた、缶切り２０１をぶら下げる又は留め紐での収納を有効にする、ハンガー穴２７９を有する。下部ハウジング部２５１は、２つのハンドルハウジング部の留め具２６３に適合する、皿頭の開口部２８１を含む、多くの目に見える特徴を有する。下部ハウジング部２５１のギアハウジング部２５５内では、一連の３つの突出したねじ穴留め具支持部２８５は、留め具２６１に、係合と物質的な支持を提供するためにある。また、前述したカッター動作ギアボス１３１及び駆動ギアボス５５が見られる。直接図示されなかったが、下部ハウジング部２５１のギアハウジング部２５５は、図１乃至４の中で示されたハウジング部５１を形成する。缶切り２０１の、他の前述の構成は、図１２において主に目に見えるものであるが、特に検討されない。
【００４７】
図１３を参照すると、図１２の分解図に類似する斜視図が、図１２に見られた略同じ位置付けにおいて、缶切り２０１の組み立てられた構成と共に示される。図１３で示される形態は、上部ハンドルボール部２１１と下部ハンドルボール部２０７が、回転と枢動取り付け部２２５を回転させるために常に回転できる位置にあり、その間回転と枢動取り付け部２２５が係合し、示されるような機構を操作するために上部係合ギア４１を回転させる。一つの方向への回転は、回転式缶切り機構３１が閉じ、他の方向への回転は、回転式缶切り機構３１を開く。
【００４８】
図１４を参照すると、缶切り２０１の斜視図は、直通の穴２７７を通って突出する、上部ハンドル部の平らになったボール部２１１を示し、その結果クランク組立部２２４は、ロックダウン位置にある。図１５を参照すると、図１４で見られたような缶切り２０１の斜視図が、斜め下の位置から示される。
【００４９】
図１６を参照すると、電気駆動缶切り３０１の斜視断面図は、バッテリー３０３、接点３０５と３０７、及びバッテリー３０３により切り替え可能に動力供給された電機モータ３１１を示す。電機モータ３１１は、モータ３１１に接続されたウォームギア３１５、第１減速ギア３１７、軸（図１６に図示せず）に対し第１減速ギア３１７を備えた第１減速ギアピニオン３１９、係合する第２減速ギア３２１を含む、一連の速度減速ギアを通して接続される。軸３２５に対する第２減速ギア３２１で回転する、第２減速ギアピニオン３２３は、駆動ギア３２７に係合する。直接示されないが、駆動ギア３２７は、上部係合ギア４１に係合し、図１乃至１１のために記述されたものと同じ方法で、回転式缶切り機構３１を作動させる。注意すべき唯一の違いは、駆動ギア３２７によって直接駆動される軸駆動ギアセット３７の前に、カッターギア６５が位置するということである。
【００５０】
瞬間の動作開閉器３３１は、極性反転開閉器３３５の隣に位置してもよい。瞬間の開閉器３３１に取り付けられたカム従動子３３１Ｂは、上部平らになった縁１０５から伸びる、カム面３６１に対し休止状態が示される。ボタン３３７は、ボタン３３７を押すことによる、瞬間の動作開閉器３３１と極性反転開閉器３３５の両方を同時に始動させるために、その機械的に接続された作動装置３４１と３４５に合わせて作用する。上記の開閉器を接続する回路類は多くの変化に富んでおり、電子開閉器と同様に機械的開閉器も含むことがある。１つの実施形態は図１７に関して示され、説明されるだろう。その間に、動力が電池に供給された缶切り３０１は、基礎ハウジング３５１及び上部ハウジング部３５５を有することが示される。
【００５１】
図１７を参照すると、概略の電気回路図は、極性反転開閉器３３５と同様に瞬間の動作開閉器３３１が示される場所に示される。モータ３１１が停止した状態から、カム構造３６１は、瞬間の動作開閉器３３１の切離しを可能にする。ボタン３３７を押すと、反転開閉器３３５は、バッテリー３０３のプラス面が極性反転開閉器３３５の「＋」面に電気的に接続し、閉鎖及び開口位置の方へモータ３１１を始動することを可能にする、反対位置に変える。一旦モータ３１１が１秒か２秒間操作されれば、カム３６２は閉鎖位置で瞬間の動作開閉器３３１を保持し、もはやサイクルの間中、瞬間の動作開閉器３３１を押す必要はない。モータは、缶切り３０１が缶８５を近くに寄せて、開口サイクルのため、缶８５の上部縁８３を缶から切り続けるようにする。機構が図９と１０で示された状態を達成するためである。ユーザが機構を逆にするために再びボタン３３７を押すまで、缶が処理され続ける。ボタンの押下は、極性反転開閉器３３５を、図１７で示された反対位置に動かす。この位置で正電流は、モータ自体を逆転させ、缶切り３０１を開き始めるようにする、モータ３１１の非プラス面に流れる。上部の縁８３が解放されるまで、また回転式缶切り機構３１が止められるまでどのような場合においても、この開口工程は通常継続する。図５で示された状態が達成されるまで、開口工程は継続する。この状態で、カム３６１により、図１７の回路は切られ、モータ３１１は止まる。缶切り３０１は開いており、別の缶の開口サイクルを待っている。
【００５２】
本考案の好ましい実施形態が示され、記述された一方で、それは、本考案の骨子及び範囲から逸脱されることなく種々の変更が、当業者により理解されるだろう。
【図１】
0003169281.tif 000003
【図２】
0003169281.tif 000004
【図３】
0003169281.tif 000005
【図４】
0003169281.tif 000006
【図５】
0003169281.tif 000007
【図６】
0003169281.tif 000008
【図７】
0003169281.tif 000009
【図８】
0003169281.tif 000010
【図９】
0003169281.tif 000011
【図１０】
0003169281.tif 000012
【図１１】
0003169281.tif 000013
【図１２】
0003169281.tif 000014
【図１３】
0003169281.tif 000015
【図１４】
0003169281.tif 000016
【図１５】
0003169281.tif 000017
【図１６】
0003169281.tif 000018
【図１７】
0003169281.tif 000019
【手続補正書】
【提出日】平成23年5月24日(2011.5.24)
【手続補正１】
【補正対象書類名】実用新案登録請求の範囲
【補正対象項目名】全文
【補正方法】変更
【補正の内容】
【実用新案登録請求の範囲】
【請求項１】
ハウジング部と、カッター動作ギアと、遊び歯車と、下方駆動ギアを備える缶切り機構であって、
前記ハウジング部は、内部穴と外径を有するカッター動作ギアボスを備え、
前記カッター動作ギアは、円筒状部材と、短くされた弧の一連の放射状ギア歯と、下方に伸びる突出部と、を備えており、
前記円筒状部は、前記カッター動作ギアボスの中に支持され、
前記短くされた弧の一連の放射状ギア歯は、前記短くされた弧の一連の放射状ギア歯の各々の端部にある一対の欠損歯部にて終わり、
前記下方に伸びる突出部は、前記短くされた弧の一連の放射状ギア歯に対する前記カッター動作ギアの反対側にある前記一対の欠損歯部の間にあり、
前記下方に伸びる突出部は、干渉隆起が放射状に内部に突出する内部側面を有しており、
前記遊び歯車は、歯の付いた上部と、円筒状の下部と、前記カッター動作ギアボスの外部円柱面よりもかなり大きな内壁面を備え、
前記下方駆動ギアは、前記遊び歯車の前記歯の付いた上部に同時に係合し、少なくとも一つは前記欠損歯部に対抗し、前記カッター動作ギアの前記一連のギア歯に係合する歯部を有し、
前記下方駆動ギアは、前記遊び歯車が横方向に動くことを可能にする方法で、前記歯車の前記歯の付いた上部に圧力をかけて係合するよう作用し、
前記方法は、前記カッター動作ギアと前記下方駆動ギアの間の距離を考慮したものであり、それにより、回転力が前記遊び歯車から前記カッター動作ギアへと伝わるようにし、前記カッター動作ギアが前記カッター動作ギアの前記一連のギア歯を前記下方駆動ギアの歯部に係合させる、前記干渉隆起を係合させること、を特徴とする缶切り機構。
【請求項２】
駆動軸と、旋回自在のハンドルを更に備え、
前記駆動軸は下方駆動ギアに係合し、
前記旋回自在のハンドルは、駆動軸に駆動可能に取り付けられ、開放位置と閉鎖位置の間で回転自在であり、
前記開放位置では、駆動軸が回転でき、
前記閉鎖位置では、駆動軸がハウジング部に対して収納されることができることを特徴とする、請求項１記載の缶切り機構を備える缶切り。
【請求項３】
駆動輪と、カッターを更に備え、
前記駆動輪は、切られる缶の上部の縁に係合するために駆動軸の端部にあり、
前記カッターは、前記カッター動作ギアに支持され、移動可能となり、
前記カッター動作ギアは、前記カッターを前記駆動輪の方へ、またそれから離れて動かすことを特徴とする、請求項２記載の缶切り機構を備える缶切り。
【請求項４】
前記駆動輪の直径が約１ｃｍである、請求項３の缶切り機構を備える缶切り。
【請求項５】
ハウジング部と、クランク部を更に備え、
前記ハウジング部は、前記缶切り機構を支持し、穴を通る外部を有し、
前記クランク部は、前記駆動軸に取り付けられ、該駆動軸に対し回転自在であり、前記駆動軸に対して旋回自在であり、その結果前記ハンドルの一部が、前記ハウジング部の穴を通る外部に収納可能に入ることができる事を特徴とする、請求項３記載の缶切り機構を備える缶切り。
【請求項６】
モータと、バッテリーと、開閉器、とを更に備え、
前記モータ部は、前記ハウジング内に含まれ、前記下方駆動ギアに機械的に操作可能に接続され、
前記バッテリー部は、前記ハウジング部内に含まれ、
前記スイッチ部は、前記下方駆動ギアの回転を操作するため、前記バッテリー部と前記モータ部の間に電気的に接続されることを特徴とする、請求項１記載の缶切り機構を備える缶切り。
【請求項７】
前記カッター動作ギアボスが、前記下方駆動ギアの方向に突起部分と、前記遊び歯車の前記内壁面上に軸受部を有すること、を特徴とする請求項１記載の缶切り機構。
【請求項８】
前記突起部分が楕円型構造である、請求項７記載の缶切り機構。
【請求項９】
前記突起部分が助材であることを特徴とする、請求項７記載の缶切り機構。